(57)【要約】【課題】施設のアリーナ部を拡張する施工手間を低減する。【解決手段】アリーナ部の周辺にスタンド部が設けられた施設と、前記アリーナ部及び前記スタンド部に盛土された盛土材で拡張された拡張アリーナ部と、前記アリーナ部又は前記スタンド部に設けられ、前記盛土材の側圧を受ける土留め壁と、を有する拡張施設。【選択図】図５
2019090230.tif 000002
【特許請求の範囲】
【請求項１】
アリーナ部の周辺にスタンド部が設けられた施設と、
前記アリーナ部及び前記スタンド部に盛土された盛土材で拡張された拡張アリーナ部と、
前記アリーナ部又は前記スタンド部に設けられ、前記盛土材の側圧を受ける土留め壁と、
を有する拡張施設。
【請求項２】
前記土留め壁は、前記アリーナ部の上に設けられている請求項１に記載の拡張施設。
【請求項３】
アリーナ部と、前記アリーナ部の周辺に設けられたスタンド部とを有する施設の前記アリーナ部を拡張する施設の拡張方法において、
前記アリーナ部又は前記スタンド部に土留め壁を構築する工程と、
前記アリーナ部及び前記スタンド部に盛土材を盛土して、拡張された拡張アリーナ部を形成する工程と、
を有する施設の拡張方法。
【発明の詳細な説明】
【技術分野】
【０００１】
本発明は、施設のアリーナ部を拡張した拡張施設、及び施設のアリーナ部を拡張する施設の拡張方法に関する。
【背景技術】
【０００２】
スポーツ競技、演技、演奏等を行うアリーナ部と、アリーナ部の周辺に設けられた、観客等を収容するスタンド部とを有する体育館や屋外競技場等の施設がある。例えば、特許文献１には、競技エリアの周囲に観客席が設けられた屋根付き競技場が開示されている。
【０００３】
このような施設において、改修工事によってアリーナ部を拡張しようとする場合、スタンド部の撤去工事を行う必要があるので、施工手間が掛かってしまう。
【先行技術文献】
【特許文献】
【０００４】
【特許文献１】特開平１１−２３２９０８号公報
【発明の概要】
【発明が解決しようとする課題】
【０００５】
本発明は係る事実を考慮し、施設のアリーナ部を拡張する施工手間を低減することを課題とする。
【課題を解決するための手段】
【０００６】
第１態様に係る拡張施設は、アリーナ部の周辺にスタンド部が設けられた施設と、前記アリーナ部及び前記スタンド部に盛土された盛土材で拡張された拡張アリーナ部と、前記アリーナ部又は前記スタンド部に設けられ、前記盛土材の側圧を受ける土留め壁と、を有する。
【０００７】
第１態様に係る拡張施設によれば、アリーナ部及びスタンド部に盛土材で盛土することにより、スタンド部を撤去することなく、盛土材で拡張アリーナ部を形成することができる。すなわち、施設のアリーナ部を拡張する施工手間を低減することができる。
【０００８】
また、アリーナ部又はスタンド部には、盛土材の側圧を受ける土留め壁が設けられているので、スタンド部を補強せずに又は少ない補強で使用することができる。
【０００９】
第２態様に係る拡張施設は、第１態様に係る拡張施設において、前記土留め壁は、前記アリーナ部の上に設けられている。
【００１０】
第２態様に係る拡張施設によれば、アリーナ部は平坦であるので、土留め壁を容易に設けることができる。
【００１１】
また、盛土材の側圧によりスタンド部に作用する力は、土留め壁の外側では小さくなるので、スタンド部の補強を無くす又は少なくすることができる。
【００１２】
第３態様に係る施設の拡張方法は、アリーナ部と、前記アリーナ部の周辺に設けられたスタンド部とを有する施設の前記アリーナ部を拡張する施設の拡張方法において、前記アリーナ部又は前記スタンド部に土留め壁を構築する工程と、前記アリーナ部及び前記スタンド部に盛土材を盛土して、拡張された拡張アリーナ部を形成する工程と、を有する。
【００１３】
第３態様に係る施設の拡張方法によれば、アリーナ部及びスタンド部に盛土材で盛土することにより、スタンド部を撤去することなく、盛土材で拡張アリーナ部を形成することができる。すなわち、施設のアリーナ部を拡張する施工手間を低減することができる。
【００１４】
また、アリーナ部又はスタンド部には、盛土材の側圧を受ける土留め壁が設けられているので、スタンド部を補強せずに又は少ない補強で使用することができる。
【発明の効果】
【００１５】
本発明は上記構成としたので、施設のアリーナ部を拡張する施工手間を低減することができる。
【図面の簡単な説明】
【００１６】
【図１】本発明の実施形態に係る既設の体育館を示す正面断面図である。
【図２】図１のＡ−Ａ矢視図である。
【図３】本発明の実施形態に係る土留め壁構築工程が行われた既設の体育館を示す正面断面図である。
【図４】図３のＢ−Ｂ矢視図である。
【図５】本発明の実施形態に係る拡張施設としての体育館を示す正面断面図である。
【図６】図５のＣ−Ｃ矢視図である。
【図７】図７（ａ）は、本発明の実施形態に係る土留め壁を示す正面断面図であり、図７（ｂ）及び図７（ｃ）は、本発明の実施形態に係る土留め壁のバリエーションを示す正面断面図である。
【発明を実施するための形態】
【００１７】
図を参照しながら、本発明の実施形態を説明する。まず、本発明の実施形態に係る施設の拡張方法について説明する。
【００１８】
ここでは、図１の正面断面図、及び図１のＡ−Ａ矢視図である図２に示す、既設の体育館１０を改修して、図５の正面断面図、及び図５のＣ−Ｃ矢視図である図６に示す拡張施設としての体育館１２を構築する施設の拡張方法の一例について示す。
【００１９】
図１及び図２に示すように、既設の体育館１０は、外壁１４Ａ、１４Ｂ、１４Ｃ、１４Ｄにより囲まれて形成された建物空間１６を屋根１８により覆った建物であり、地盤２０上に建てられている。
【００２０】
建物空間１６内には、スポーツ競技や演技等を行う平坦なアリーナ部２２（図２において一点鎖線で囲まれた部分）と、アリーナ部２２の周辺に設けられた、観客等を収容するスタンド部２４、２６とを備えた施設２８が設けられている。すなわち、体育館１０は、地盤２０上に設けられた、アリーナ部２２とスタンド部２４、２６とを備えた施設２８を有して構成されている。
【００２１】
施設の拡張方法では、まず、図３、及び図３のＢ−Ｂ矢視図である図４に示すように、土留め壁構築工程によって、アリーナ部２２の上のスタンド部２４付近に、鉄筋コンクリート製の土留め壁３０を構築する。
【００２２】
土留め壁３０は、後に説明する盛土材３２（図５を参照のこと）の側圧を受けるように配置する。すなわち、土留め壁３０は、盛土材３２の側圧を負担する。尚、土留め壁３０は、鋼製、鉄骨鉄筋コンクリート製等の他の構造のものであってもよい。例えば、土留め壁をシートパイルによって構成してもよい。
【００２３】
次に、図５、及び図５のＣ−Ｃ矢視図である図６に示すように、拡張アリーナ部形成工程によって、土砂からなる盛土材３２をアリーナ部２２及びスタンド部２４の上へ所定レベル（本例では、スタンド部２４の上面のレベル）まで盛土する。
【００２４】
これにより、盛土材３２によってアリーナ部２２を嵩上げしてアリーナ部２２を拡張し、拡張された拡張アリーナ部３４（図６において一点鎖線で囲まれた部分）を形成することによって、拡張施設としての体育館１２が構築される。本例では、拡張アリーナ部３４の水平投影面積は、アリーナ部２２の水平投影面積よりも大きくなっており、この拡張アリーナ部３４を野球の内野グランドとしている。
【００２５】
次に、本発明の実施形態に係る拡張施設しての体育館１２について説明する。
【００２６】
図５及び図６に示すように、拡張施設しての体育館１２は、アリーナ部２２の周辺にスタンド部２４が設けられた施設２８と、アリーナ部２２及びスタンド部２４の上に盛土された盛土材３２で拡張された拡張アリーナ部３４（図６において一点鎖線で囲まれた部分）と、アリーナ部２２の上のスタンド部２４付近に設けられ、盛土材３２の側圧を受ける土留め壁３０とを有して構成されている。
【００２７】
図７（ａ）の正面断面図に示すように、土留め壁３０は、土留め壁３０の外壁面３６と、スタンド部２４の内壁面３８との間に所定距離を有するようにして配置され、土留め壁３０の外壁面３６と、スタンド部２４の内壁面３８との間には、盛土材３２が充填されている。土留め壁３０は、壁部３０Ａと固定部３０Ｂとが一体とされたＬ字状断面を有する構造体により構成されている。
【００２８】
次に、本発明の実施形態に係る拡張施設としての体育館１２、及び施設の拡張方法の作用と効果について説明する。
【００２９】
本実施形態の拡張施設としての体育館１２は、図５及び図６に示すように、アリーナ部２２及びスタンド部２４に盛土材３２で盛土することにより、スタンド部２４を撤去することなく、盛土材３２で拡張アリーナ部３４を形成することができる。すなわち、施設２８のアリーナ部２２を拡張する施工手間を低減することができる。
【００３０】
例えば、図１に示す既設の体育館１０のように、外壁１４Ａ、１４Ｃがスタンド部２４と一体となって構造的に成立している建物の場合、スタンド部２４の撤去に伴って外壁１４Ａ、１４Ｃのが自立しなくなってしまうので、外壁１４Ａ、１４Ｃに補強を施さなければならないが、本実施形態の拡張施設としての体育館１２では、そのような補強を施す必要がなくなる、又はそのような補強を少なくすることができる。
【００３１】
また、本実施形態の拡張施設としての体育館１２では、図５及び図６に示すように、盛土材３２の側圧を受ける土留め壁３０がアリーナ部２２上に設けられており、盛土材３２の側圧によりスタンド部２４に作用する力は、土留め壁３０の外側（スタンド部２４側）では小さくなるので、スタンド部２４の補強を無くす又は少なくすることができる。
【００３２】
また、土留め壁３０を設けることにより、盛土材３２を高く盛り土することができ、これによって広い（水平投影面積の大きい）拡張アリーナ部３４を形成できる。
【００３３】
さらに、本実施形態の拡張施設としての体育館１２では、図５及び図６に示すように、アリーナ部２２の上に土留め壁３０を構築することにより、アリーナ部２２は平坦であるので、土留め壁３０を容易に設けることができる。
【００３４】
また、本実施形態の施設の拡張方法によれば、図５及び図６に示すように、アリーナ部２２及びスタンド部２４に盛土材３２で盛土することにより、スタンド部２４を撤去することなく、盛土材３２で拡張アリーナ部３４を形成することができる。すなわち、施設２８のアリーナ部２２を拡張する施工手間を低減することができる。
【００３５】
さらに、本実施形態の施設の拡張方法によれば、アリーナ部２２の上には、盛土材３２の側圧を受ける土留め壁３０が設けられているので、スタンド部２４を補強せずに又は少ない補強で使用することができる。
【００３６】
以上、本発明の実施形態について説明した。
【００３７】
なお、本実施形態では、図１及び図２に示すように、既設の体育館１０を構成するアリーナ部２２をスポーツ競技や演技等を行うところとした例を示したが、アリーナ部２２は、スポーツ競技、演技、演奏等のさまざまなことを行うところであってもよい。
【００３８】
また、本実施形態では、図３及び図４に示すように、施設の拡張方法の土留め壁構築工程において、アリーナ部２２の上に土留め壁３０を構築した例を示したが、スタンド部２４の上に土留め壁３０を構築してもよい。さらに、アリーナ部２２及びスタンド部２４に盛土材３２を盛り土した後に、盛り土された盛土材３２中に土留め壁３０を構築するようにしてもよい。
【００３９】
さらに、本実施形態では、図７（ａ）に示すように、土留め壁３０を、壁部３０Ａと固定部３０Ｂとが一体とされたＬ字状断面を有する構造体により構成した例を示したが、土留め壁は他の形状のものであってもよい。例えば、図７（ｂ）の正面断面図に示す土留め壁４０や、図７（ｃ）の正面断面図に示す土留め壁４２のようにしてもよい。
【００４０】
図７（ｂ）に示すように、土留め壁４０は、土留め壁４０の外壁面４４と、スタンド部２４の内壁面３８との間に所定距離を有するようにして配置され、土留め壁４０の外壁面４４と、スタンド部２４の内壁面３８との間には、盛土材３２が充填されている。土留め壁４０は、壁部４０Ａと固定部４０Ｂとが一体とされた逆Ｔ字状断面を有する構造体により構成されている。
【００４１】
図７（ｃ）に示すように、土留め壁４２は、土留め壁４２の外壁面４６と、スタンド部２４の内壁面３８との間に所定距離を有するようにして配置され、土留め壁４２の外壁面４６と、スタンド部２４の内壁面３８との間には、空間４８が形成されている。この空間４８により、土留め壁４２からスタンド部２４へ伝達される力を抑制することができる。土留め壁４２は、壁部４２Ａと固定部４２Ｂとが一体とされたＬ字状断面を有する構造体を有して構成されている。
【００４２】
また、本実施形態では、図５及び図６に示すように、土留め壁３０を設けることによって、盛土材３２の側圧によりスタンド部２４に作用する力を小さくする例を示したが、スタンド部２４を補強するようにしてもよい。
【００４３】
さらに、本実施形態では、図５及び図６に示すように、盛土材３２を土砂とした例を示したが、盛土材は、盛土することにより拡張アリーナ部３４を形成することができるものであればよく、盛土材は、土、砂利、スラグ等のさまざまな材料としてもよい。例えば、下層に嵩比重の重い鋼製スラグを盛土材として盛り土し、上層に嵩比重の軽い破砕スラグを盛土材として盛り土するようにしてもよい。
【００４４】
また、実施形態では、図１及び図２に示す既設の体育館１０を改修して、図５及び図６に示す拡張施設としての体育館１２を構築した例を示したが、既設の体育館１０は、改修される建物であれば他の用途の建物であってもよい。例えば、改修される建物は、フィールド部とスタンド部とを有する陸上競技場、野球場、サッカー競技場等の屋外施設や、コンサートホール等の建物などであってもよい。改修される建物を陸上競技場とする場合、スタンド部により囲まれたフィールド部及びトラック部がアリーナ部となる。
【００４５】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００４６】
１２  体育館（拡張施設）
２２  アリーナ部
２４  スタンド部
２８  施設
３０、４０、４２  土留め壁
３２  盛土材
３４  拡張アリーナ部
【図１】
2019090230.tif 000003
【図２】
2019090230.tif 000004
【図３】
2019090230.tif 000005
【図４】
2019090230.tif 000006
【図５】
2019090230.tif 000007
【図６】
2019090230.tif 000008
【図７】
2019090230.tif 000009